(57)【要約】【課題】ディスクが可視画像記録可能ディスクであるかどうかを判別する。【解決手段】可視画像記録可能ディスク１のデータ面側に第１の光ピックアップ１３が設けられており、レーベル面側に第２の光ピックアップ２８が設けられている。第２の光ピックアップ２８により、可視画像記録可能ディスク１のレーベル面の情報エリアに形成されている情報を読み出し、データ反転器３６でその時間軸を反転させて、デコーダ３７でデコードする。これにより、通常の回転方向とは逆方向に回転しているレーベル面の情報をデコードすることができ、情報エリアに形成されているディスク識別コードに基づいてそのディスクが可視画像記録可能ディスクであるか否かを判定することができる。また、レーベル面の情報エリアの情報を読み出すときにディスクを逆回転させるようにしてもよい。【選択図】図１
2008033982.tif 000002
【特許請求の範囲】
【請求項１】
データを記録可能なデータ面と可視画像を記録可能なレーベル面とを有する可視画像記録可能な光ディスクに可視画像を描画するための光ディスク描画装置であって、
光ディスクのデータ面に対向し、データの記録再生を行うための第１の光ピックアップと、
光ディスクのレーベル面に対向し、データの再生及び可視画像の描画を行うための第２の光ピックアップと、
前記第２の光ピックアップにより光ディスクのレーベル面から読み出された信号の時間軸を反転する時間軸反転手段と、
前記時間軸反転手段により時間軸が反転された信号に基づいて、その光ディスクが前記可視画像記録可能な光ディスクであるか否かを判定する手段と
を有することを特徴とする光ディスク描画装置。
【請求項２】
前記第１の光ピックアップに接続されたサーボ回路、レーザ駆動回路及びＲＦアンプと、前記第２の光ピックアップに接続されたサーボ回路、レーザ駆動回路及びＲＦアンプとを有し、
前記第１の光ピックアップを用いて前記光ディスクのデータ面にデータを記録する処理と、前記第２の光ピックアップを用いて前記光ディスクのレーベル面に可視画像を描画する処理を並列に実行することができるようになされていることを特徴とする請求項１記載の光ディスク描画装置。
【請求項３】
サーボ回路、レーザ駆動回路及びＲＦアンプと、該サーボ回路、レーザ駆動回路及びＲＦアンプを前記第１の光ピックアップ又は前記第２の光ピックアップに選択的に接続するスイッチ手段とを有し、
前記第１の光ピックアップを用いて前記光ディスクのデータ面にデータを記録する処理と、前記第２の光ピックアップを用いて前記光ディスクのレーベル面に可視画像を描画する処理を切り替えて実行することができるようになされていることを特徴とする請求項１記載の光ディスク描画装置
【請求項４】
データを記録可能なデータ面と可視画像を記録可能なレーベル面とを有する可視画像記録可能な光ディスクに可視画像を描画するための光ディスク描画装置であって、
光ディスクのデータ面に対向し、データの記録再生を行うための第１の光ピックアップと、
光ディスクのレーベル面に対向し、データの再生及び可視画像の描画を行うための第２の光ピックアップと、
光ディスクを通常の回転方向とは逆の回転方向に回転させる手段と、
光ディスクを通常の回転方向とは逆の回転方向に回転させているときに前記第２の光ピックアップによりその光ディスクのレーベル面から読み出された信号に基づいて、その光ディスクが前記可視画像記録可能な光ディスクであるか否かを判定する手段と
を有することを特徴とする光ディスク描画装置。
【発明の詳細な説明】
【技術分野】
【０００１】
本発明は、ＤＶＤ−Ｒ／ＲＷやＤＶＤ＋Ｒ／ＲＷなどの光ディスクのレーベル面にレーザを使用して可視画像を形成する光ディスク描画装置に関する。
【背景技術】
【０００２】
光ディスクのレーベル面にレーザを使用して文字や図形等の可視画像を形成することは知られている。
例えば、特許文献１には光ディスクのレーベル面側から見える個所に可視光特性変化層を設け、レーザ光を照射することによりその可視光特性を変化させて可視画像を形成することが記載されている。
また、特許文献２には、光ディスクの記録面にレーザ光を照射する光ピックアップと光ディスクのレーベル面にレーザ光を照射する照射ユニットとを設けて、光ディスクを裏返しすることなく、記録面へのデータ記録又は再生とレーベル面への描画を同時に実行することができるようにした光ディスク装置が提案されている。
【０００３】
図１０は、現在市販されている可視画像記録可能な光ディスク（以下、単に「可視画像記録可能ディスク」とよぶ）の構造を示す図であり、（ａ）はデータ面（記録面）、（ｂ）はレーベル面、（ｃ）はレーベル面に設けられている情報エリアのトラックを模式的に示す図である。
図１０の（ａ）に示すように、可視画像記録可能ディスク１のデータ面は、通常のＤＶＤ−Ｒと同じ構造とされており、データ記録エリア２が設けられている。なお、５はセンターホールである。
また、図１０の（ｂ）に示すように、レーベル面には、可視画像の描画が実施される描画エリア３があり、その内側に情報エリア４が設けられている。この情報エリア４には、ＣＤやＤＶＤと同じようなプリピットによるトラック（溝）があり、プリピットにはＣＤ規格で定められたＥＦＭエンコードされたデータが形成されている。このＥＦＭエンコードされたデータのサブコード部に、このディスクが可視画像記録可能ディスク１であることを示す識別コードが形成されている。
図１０の（ｃ）は、レーベル面の情報エリア４のトラックの概略を示す図である。この図に示すように、情報エリア４のトラックは、ＣＤやＤＶＤと同様に、螺旋状に形成されている。
このディスクの回転方向は、レーザを当てる方向から見て反時計回りである。よって、このトラックに対してトラッキングサーボを掛けた場合、レーザ光のスポットは図の矢印方向にトラックに沿って移動することになり、その結果、ピックアップは外周方向に移動していく。
【０００４】
図１１は、前記可視画像記録可能ディスク１の断面を示す図であり、（ａ）はレーベル面が前記描画エリア３である部分の断面図、（ｂ）はレーベル面が前記情報エリア４である部分の断面図である。
図１１の（ａ）に示すように、データ面側から、グルーブ付きのポリカーボネート層、色素層、反射層からなるＤＶＤデータ記録層が形成されており、接着層を介して、反射層、色素層及びポリカーボネート層からなる描画エリア３が形成されている。データ面側に設けられた対物レンズを通ったレーザ光が前記ＤＶＤデータ記録層の色素層に到達することにより、データを記録再生することができる。また、レーベル面側に設けられた対物レンズを通ったレーザ光が前記前記描画エリア３の色素層に到達し、加熱することによって色素層の色が変化し、可視画像を記録することができる。
一方、情報エリア４の部分は、図１１の（ｂ）に示すように、データ面側から前述と同様のＤＶＤ記録層が形成されており、その上に、接着層を介して、反射層、色素層、プリピットが形成されたポリカーボネート層からなる情報エリア４が形成されている。レーベル面側の対物レンズを通ったレーザ光により、情報エリア４に形成されたデータを読み出すことができる。
前記ＤＶＤデータ記録層（データ記録基板）と前記描画エリア３又は情報エリア４からなるレーベル面側の基板とを貼り合わせ、全体の厚さは１．２mmとされている。
【０００５】
【特許文献１】特開２００２−２０３３２１号公報
【特許文献２】特開２００５−０５０４０９号公報
【発明の開示】
【発明が解決しようとする課題】
【０００６】
特許文献２に記載された光ディスク描画装置のように、光ディスクの上下両方に光ピックアップを配置することにより、ディスクを裏返しにすることなく、レーベル面に可視画像を描画することができる。すなわち、光ディスクの上側と下側の両方に光ピックアップを設けた光ディスク記録・描画装置に、可視画像記録可能な光ディスクを、そのデータ面を下に、レーベル面を上にしてセットすることにより、下側の光ピックアップでデータの記録又は再生を行い、上側の光ピックアップで描画をすることが可能となる。
ところで、このような光ディスク記録・描画ドライブ装置においては、描画を実行する前に、セットされた光ディスクが前記可視画像記録可能ディスク１であるかどうかを初めにチェックする必要がある。
通常、光ディスクの回転方向は下側から見て、反時計回りとするのが一般的である。データ面の情報読み出しや、データ記録動作をするためである。
しかしながら、前述した可視画像記録可能ディスク１をデータ面を下に、レーベル面を上にして光ディスクドライブ装置にセットした場合、そのディスクが、可視画像記録可能ディスク１であるか否かを判定することができないという問題がある。
というのは、前述のように、前記光ディスク１のレーベル面の情報エリアにそのディスクが可視画像記録可能な光ディスクであることを示す識別コード（この識別コードは通常の回転方向で再生したときに読み出すことができるようになっている）が形成されているのであるが、上側の光ピックアップで読み出されるレーベル面の情報エリアの情報はディスクが逆回転となってしまうので、正しく読み出すことができない。また、可視画像記録可能ディスク１のデータ面は、可視画像記録可能でない通常の光ディスク（ＤＶＤ−Ｒなど）のデータ面と全く同じとされているので、データ面を再生しただけでは、可視画像記録可能ディスク１かどうか判別することができないからである。
【０００７】
そこで、本発明は、セットされた光ディスクがレーベル面に可視画像を記録することが可能な光ディスクであるか否かを判別することができる、ユーザがディスクを裏返しにすることなく可視画像を記録可能な光ディスク描画装置を提供することを目的としている。
【課題を解決するための手段】
【０００８】
上記目的を達成するために、本発明の光ディスク描画装置は、データを記録可能なデータ面と可視画像を記録可能なレーベル面とを有する可視画像記録可能な光ディスクに可視画像を描画するための光ディスク描画装置であって、光ディスクのデータ面に対向し、データの記録再生を行うための第１の光ピックアップと、光ディスクのレーベル面に対向し、データの再生及び可視画像の描画を行うための第２の光ピックアップと、前記第２の光ピックアップにより光ディスクのレーベル面から読み出された信号の時間軸を反転する時間軸反転手段と、前記時間軸反転手段により時間軸が反転された信号に基づいて、その光ディスクが前記可視画像記録可能な光ディスクであるか否かを判定する手段とを有するものである。
また、前記第１の光ピックアップに接続されたサーボ回路、レーザ駆動回路及びＲＦアンプと、前記第２の光ピックアップに接続されたサーボ回路、レーザ駆動回路及びＲＦアンプとを有し、前記第１の光ピックアップを用いて前記光ディスクのデータ面にデータを記録する処理と、前記第２の光ピックアップを用いて前記光ディスクのレーベル面に可視画像を描画する処理を並列に実行することができるようになされているか、あるいは、サーボ回路、レーザ駆動回路及びＲＦアンプと、該サーボ回路、レーザ駆動回路及びＲＦアンプを前記第１の光ピックアップ又は前記第２の光ピックアップに選択的に接続するスイッチ手段とを有し、前記第１の光ピックアップを用いて前記光ディスクのデータ面にデータを記録する処理と、前記第２の光ピックアップを用いて前記光ディスクのレーベル面に可視画像を描画する処理を切り替えて実行することができるようになされているものである。
【０００９】
さらに、本発明の他の光ディスク描画装置は、データを記録可能なデータ面と可視画像を記録可能なレーベル面とを有する可視画像記録可能な光ディスクに可視画像を描画するための光ディスク描画装置であって、光ディスクのデータ面に対向し、データの記録再生を行うための第１の光ピックアップと、光ディスクのレーベル面に対向し、データの再生及び可視画像の描画を行うための第２の光ピックアップと、光ディスクを通常の回転方向とは逆の回転方向に回転させる手段と、光ディスクを通常の回転方向とは逆の回転方向に回転させているときに前記第２の光ピックアップによりその光ディスクのレーベル面から読み出された信号に基づいて、その光ディスクが前記可視画像記録可能な光ディスクであるか否かを判定する手段とを有するものである。
【発明の効果】
【００１０】
本発明の光ディスク描画装置によれば、光ディスクの上側に設けられた光ピックアップにより、可視画像記録可能ディスクのレーベル面の情報エリアに形成された情報を正しく読み取ることが可能となり、セットされた光ディスクが可視画像記録可能ディスクであるか否かを自動的に判定することが可能となる。
これにより、レーベル描画に対応していない光ディスクに対して描画処理を行うことを防止することが可能となる。
【発明を実施するための最良の形態】
【００１１】
図１は、本発明の光ディスク描画装置の第１の実施の形態の構成を示すブロック図である。
この図において、１０は光ディスク、１１は光ディスク１０を回転駆動するスピンドルモータ、１２は前記スピンドルモータ１１の回転を制御するスピンドルサーボ回路である。
１３は光ディスク１０の下側（スピンドルモータ１１と同じ側）に配置された第１の光ピックアップ、１４は該第１の光ピックアップ１３を光ディスク１０の径方向に移動させるステッピングモータ、１５は該ステッピングモータ１４を駆動するモータドライバ、１６は前記第１の光ピックアップ１３のフォーカスアクチュエータを駆動してフォーカス制御を行うフォーカスサーボ回路、１７は前記第１の光ピックアップ１３のトラッキングアクチュエータを駆動してトラッキング制御を行うトラッキングサーボ回路である。
１８は前記第１の光ピックアップ１３から出力されるＲＦ信号を増幅するＲＦアンプ、１９は該ＲＦアンプ１８の出力信号をデータスライスしてＮＲＺＩ信号を出力するスライサ、２０は該スライサ１９から出力されるＮＲＺＩ信号を復号するデコーダ、２１は前記デコーダ２０から出力されるデータ又は前記光ディスク１０に記録するデータを格納するバッファ、２２は前記バッファ２２から供給されるデータをエンコードするエンコーダ、２３はレーザパワーを制御するＡＬＰＣ（Automatic Laser Power Control）回路、２４は前記第１の光ピックアップ１３のレーザダイオードを駆動するレーザドライバである。
また、２５はこの光ディスク描画装置全体の動作を制御するマイクロコンピュータなどからなるシステム制御部、２６はシステム制御部２５とホスト機器２７との間に設けられたインターフェース回路、２７はホストコンピュータやバックエンド装置等のホスト機器である。これらの構成要素は、通常のＤＶＤドライブ装置に備えられているものと同じである。
【００１２】
本発明の光ディスク描画装置には、上述した各構成要素に加えて、前記光ディスク１０の前記第１の光ピックアップ１３が対向する面（データ面）と反対側の面（レーベル面）に対向する第２の光ピックアップ２８が設けられており、それに接続される各種の構成要素が設けられている。この第２の光ピックアップ２８により、セットされた光ディスク１０が前記可視画像記録可能ディスク１であるときに、そのレーベル面の描画エリア３に可視画像を記録するとともに、そのレーベル面の情報エリア４に形成された情報が読み出される。
すなわち、前記第２の光ピックアップ２８を光ディスク１０の径方向に移動させるステッピングモータ２９、該ステッピングモータ２９を駆動するモータドライバ３０、前記第２の光ピックアップ２８のフォーカスサーボ回路３１、前記第２の光ピックアップ２８のトラッキングサーボ回路３２が設けられている。また、振動信号発生器３３が設けられており、その出力が前記トラッキングサーボ回路３２の出力に加算されて前記第２の光ピックアップ２８のトラッキングアクチュエータに印加されるようになされている。この振動信号発生器３３の出力により第２の光ピックアップ２８の対物レンズが光ディスク１０の半径方向に振動し、隙間の少ない可視画像を記録することができる。
また、前記第２の光ピックアップ２８の出力が供給されるＲＦアンプ３４、該ＲＦアンプ３４の出力が入力されるスライサ３５、該スライサ３５からのＮＲＺＩ信号が入力されるデータ反転器３６、該データ反転器３６の出力が入力されＥＦＭデコードするデコーダ３７、前記デコーダ３７の出力又は前記光ディスク１０に描画する可視画像のデータが記憶されるバッファメモリ３８、前記バッファメモリ３８から出力される可視画像のデータをエンコードするエンコーダ３９、該エンコーダ３９の出力が供給されるＡＬＰＣ回路４０及び該ＡＬＰＣ回路４０の出力により前記第２の光ピックアップ２８のレーザダイオードを駆動するレーザドライバ４１が設けられている。
【００１３】
光ディスク１０が前記可視画像記録可能ディスク１であり、そのデータ面が前記第１の光ピックアップ１３に対向し、レーベル面が前記第２の光ピックアップ２８に対向するようにセットされているものとする。光ディスク１０は、前記スピンドルモータ１１により光ピックアップ１３の側からみて反時計回りに回転されるため、前記第２の光ピックアップ２８で前記レーベル面の情報エリア４に形成されている情報を読み取ろうとするときに、光ディスク１０の回転方向が通常の回転方向とは逆の方向となる。そこで、本実施の形態の光ディスク描画装置では、前記第２の光ピックアップ２８により光ディスク１０のレーベル面の情報エリアから読み出された信号の時間軸を反転した後にデコードするようにして、読み出された信号を正しくデコードすることができるようにしている。読み出された信号の時間軸を反転する手段として前記データ反転器３６が設けられている。
【００１４】
図２は、前記データ反転器３６の一構成例を示すブロック図である。
図２において、５１、５２及び５３はトライステートバッファ、５４は水晶発振器などのクロック発生器、５５はセレクタ、５６は双方向シフトレジスタである。また、XCLKは前記クロック発生器５４で発生されるクロック信号、SRCLKは前記双方向シフトレジスタ５６のシフトクロック、SRDATAは前記双方向シフトレジスタ５６の入力データ又は出力データ、DIRは前記双方向シフトレジスタ５６のシフト方向を指定するデータ、DECINは前記デコーダ３７への入力信号、EFMCLKは前記デコーダ３７内に設けられているＰＬＬにより生成されたＥＦＭクロック信号（入力されたＮＲＺＩ信号の１Ｔの周期を持つパルス信号）、DECENは前記システム制御部２５から前記デコーダ３７に供給されるデコードイネーブル信号、CONTROLは前記システム制御部２５から出力される制御信号である。
前記CONTROL信号がＨＩＧＨのとき、前記トライステートバッファ５１及び５２の出力はそれぞれの入力のバッファ出力となり、前記トライステートバッファ５３の出力はハイインピーダンスとなる。また、前記CONTROL信号がＬＯＷのとき、前記トライステートバッファ５１と５２の出力はハイインピーダンスとなり、前記トライステートバッファ５３の出力はその入力のバッファ出力となる。
前記双方向シフトレジスタ５６は、シフトクロックSRCLK入力の立下がりエッジでSRDATA入力の値をDIR入力で指定される方向にシフトする。DIR入力がＨＩＧＨなら右シフトし、ＬＯＷなら左シフトする。
【００１５】
次に、このように構成された光ディスク描画装置の動作について、図３のフローチャートを参照して説明する。ここでは、光ディスク１０のデータ面にデータを記録すると同時に、レーベル面に可視画像を描画する場合について説明する。
光ディスク１０がセットされると（ステップＳ１）、前記スピンドルモータ１１により光ディスク１０を下（第１の光ピックアップ１３の側）から見て反時計回りに回転駆動する（ステップＳ２）。この回転方向は、通常のＤＶＤドライブ装置の場合と同様の回転方向である。
そして、前記第１の光ピックアップ１３側の処理と、前記第２の光ピックアップ２８側の処理を並列に実行する。
前記第１の光ピックアップ１３側の処理では、前記フォーカスサーボ回路１６を動作させ（ステップＳ３）、光ディスク１０のデータ面のディスク情報が存在する位置に前記第１の光ピックアップ１３をシークする（ステップＳ４）。そして、ディスク情報を読み出し（ステップＳ５）、前記バッファメモリ２１、エンコーダ２２、ＡＬＰＣ回路２３、レーザドライバ２４、第１の光ピックアップ１３を用いて所望のデータを記録する（ステップＳ６）。
【００１６】
一方、前記第２の光ピックアップ２８側の処理では、前記フォーカスサーボ回路３１を動作させ（ステップＳ７）、レーベル面の情報エリアの半径位置に前記第２の光ピックアップ２８を移動させる（ステップＳ８）。そして、前記トラッキングサーボ回路３２を動作させ、光ディスク１０のレーベル面の情報エリアに形成されているディスク情報を読み出す（ステップＳ１０）。このディスク情報読み出し処理の詳細については後述するが、読み出された信号は、ＲＦアンプ３４、スライサ３５、データ反転器３６を介してデコーダ３７によりＥＦＭデコードされる。光ディスク１０が可視画像記録可能ディスク１であり、読み出された情報エリア４の情報の中にそのことを示す識別コードが存在するときは、ステップＳ１１に進み、そのレーベル面の描画エリア３に可視画像を記録する。すなわち、前記バッファエリア３８に格納されている記録したい可視画像に対応するデータをエンコーダ３９、ＡＬＰＣ回路４０、レーザドライバ４１を介して第２の光ピックアップ２８に供給し、前記描画エリア３に所望の可視画像を記録する。このとき、前記振動信号発生器３３を動作させて、前述のように、隙間の少ない可視画像が記録されるようにする。
前記データ記録（Ｓ６）及び前記レーベル描画（Ｓ１１）がともに終了した後、光ディスク１０を排出する（ステップＳ１２）。
【００１７】
前記ディスク情報読み出し処理（Ｓ１０）について、図４のフローチャート及び図５のタイミングチャート例を参照して説明する。
図４に示すように、ディスク情報読み出し処理が開始されると、前記システム制御部２５は、DECEN信号をＨＩＧＨレベルとして、デコーダ３７の動作を開始させる（ステップＳ２１）。
次に、CONTROL信号をＨＩＧＨレベルとする（ステップＳ２２）。これにより、前記双方向シフトレジスタ５６のDIR入力がＨＩＧＨとなって右シフトに設定され、前記セレクタ５５が前記デコーダ３７から出力されるＥＦＭクロックEFMCLKをシフトクロックとして選択して前記双方向シフトレジスタ５６に供給するように設定され、前記トライステートバッファ５１と５２が入力信号を出力するように設定され、前記トライステートバッファ５３の出力がハイインピーダンスとなるように設定される。その結果、前記スライサ３５から出力されるＮＲＺＩ信号がトライステートバッファ５１を介して、前記デコーダ３７に入力され、前記デコーダ３７は該入力信号からＥＦＭクロックEFMCLKを再生して出力する。また、前記トライステートバッファ５１の出力信号は、トライステートバッファ５２を介して右シフト動作とされた双方向シフトレジスタ５６に供給されて、前記セレクタ５５から出力される前記ＥＦＭクロックEFMCLKに基づいて順次格納される。このようにして、この状態においては、前記スライサ３５から出力されるＮＲＺＩ信号が前記双方向シフトレジスタ５６に順次蓄積される状態となる（ＮＲＺＩセーブモード）。
そして、前記ＮＲＺＩ信号が前記双方向シフトレジスタ５６に所定量（前記情報エリア４のサブコード部に対応する量）蓄積されるように、所定時間経過するのを待つ（ステップＳ２３）。
【００１８】
図５の（ａ）は、前記双方向シフトレジスタ５６に前記ＮＲＺＩ信号が蓄積されるＮＲＺＩセーブモードのタイミングチャートの一例である。この例では、ＮＲＺＩ信号が、「３Ｔ，４Ｔ，５Ｔ，６Ｔ，７Ｔ，８Ｔ，９Ｔ，１０Ｔ，１１Ｔ」であるものとして示している。
この図に示すように、DECEN信号がＨＩＧＨ、CONTROL信号がＨＩＧＨとされており、ＥＦＭクロックEFMCLKによって、双方向シフトレジスタ５６に「３Ｔ，４Ｔ，５Ｔ，６Ｔ，７Ｔ，８Ｔ，９Ｔ，１０Ｔ，１１Ｔ」のＮＲＺＩ信号が格納される。
【００１９】
前記図４において、前記所定量のＮＲＺＩ信号の双方向シフトレジスタ５６への格納が終了すると（ステップＳ２３）、前記システム制御部２５は、前記CONTROL信号をＬＯＷレベルとする（ステップＳ２４）。これにより、前記DIR信号がＬＯＷとなるため、双方向シフトレジスタ５６は左シフトに設定される。また、前記セレクタ５５はクロック発生器５４からのXCLK信号を選択して双方向シフトレジスタ５６にシフトクロックとして供給する。そして、前記トライステートバッファ５１と５２の出力はハイインピーダンス状態となり、前記トライステートバッファ５３は前記双方向シフトレジスタ５６から出力される信号をバッファしてデコーダ３７に入力信号DECINとして供給するように制御される（シフトレジスタ読み出しモード）。
そして、前記デコーダ３７により前記双方向シフトレジスタ５６から出力される信号のデコードが終了するのを待つ（ステップＳ２５）。
【００２０】
図５の（ｂ）は、前記ステップＳ２４により実行される前記双方向シフトレジスタ５６に格納されていたＮＲＺＩ信号を逆向きに読み出す処理のタイミングチャートの一例を示す図である。
この図に示すように、CONTROL信号がＬＯＷ、DECENがＨＩＧＨとされており、前記クロック発生器５４からのクロック信号XCLKをシフトクロックSRCKとして左シフトにより格納されたときとは逆の順番で読み出されたＮＲＺＩ信号「１１Ｔ，１０Ｔ，９Ｔ，８Ｔ，７Ｔ，６Ｔ，５Ｔ，４Ｔ，３Ｔ」が、入力信号DECINとして前記デコーダ３７に入力されている。
【００２１】
図４の前記ステップＳ２５が終了すると、前記デコーダ３７によりＥＦＭデコードされ前記バッファメモリ３８に格納されている前記レーベル面の情報エリア４のサブコード部の情報を読み出す（ステップＳ２６）。
そして、読み出した情報中に可視画像記録可能ディスク１であることを示す識別コードが存在するか否かを判定する（ステップＳ２７）。
その結果、可視画像記録可能ディスク１であることを示す識別コードが存在しており、光ディスク１０が可視画像記録可能ディスク１であるときはレーベル面に描画可能であると判定して、このディスク情報読み出し処理を終了する（ステップＳ２８）。一方、可視画像記録可能ディスク１でないときは、レーベル面に描画不可能であると判定して、このディスク情報読み出し処理を終了する（ステップＳ２９）。
【００２２】
このように、本実施の形態においては、光ディスク１０のレーベル面から読み出されたデータを時間軸上で反転してからデコードすることにより、レーベル面の情報エリアに形成されているデータをデコードして、そのディスクが可視画像記録可能ディスク１であるか否かを判定するようにしている。
なお、上記においては、読み出したデータの時間軸を反転する手段として、双方向シフトレジスタ５６を用いたが、これに限られることはない。例えば、前記スライサ３５の出力をＲＡＭなどに順次書き込み、これを逆順に読み出して前記デコーダ３７に供給するようにしてもよい。
【００２３】
次に、本発明の光ディスク描画装置の第２の実施の形態について説明する。前述した第１の実施の形態においては、可視画像記録可能ディスク１のデータ面へのデータ記録とレーベル面への画像描画を並列に実行していたが、この実施の形態は、データ記録と画像描画を順次切り換えて実行するようにしたものである。これにより、構成要素を削減することができる。
図６は、本発明の光ディスク描画装置の第２の実施の形態の構成例を示すブロック図である。この図において、前記図１と同一の構成要素には同一の番号を付して説明を省略する。
図示するように、この実施の形態においても、可視画像記録可能ディスク１のデータ面に対向する第１の光ピックアップ１３及びそれを駆動するステッピングモータ１４と、レーベル面に対向する第２の光ピックアップ２８及びそれを駆動するステッピングモータ２９の２系統の光ピックアップが設けられている。
そして、前記ステッピングモータ１４及び２９を駆動するモータドライバ１５、光ピックアップ１３及び２８に接続されるフォーカスサーボ回路１６、トラッキングサーボ回路１７、振動信号発生器３３、ＲＦアンプ１８、スライサ１９、データ反転器３６、デコーダ２０，バッファメモリ２１、エンコーダ２２、ＡＬＰＣ回路２３及びレーザドライバ２４を前記第１の光ピックアップ１３と第２の光ピックアップ２８に共通に設けるとともに、前記２系統の光ピックアップのいずれに接続するかを選択する選択スイッチ６１〜６８からなる選択スイッチ群６０を設け、前記システム制御部２５により選択スイッチ群６０の切り替えを制御するようにしている。
【００２４】
図７は、この本発明の光ディスク描画装置の第２の実施の形態の動作を示すフローチャートである。ここでは、光ディスク１０のデータ面にデータを記録した後に、レーベル面に可視画像を描画する処理を行う場合について説明する。
光ディスク１０がセットされると（ステップＳ３１）、まず、前記選択スイッチ群６０をデータ面に対向している第１の光ピックアップ１３側に切り替える（ステップＳ３２）。これにより、モータドライバ１５がステッピングモータ１４に接続され、フォーカスサーボ回路１６、トラッキングサーボ回路１７、ＲＦアンプ１８、ＡＬＰＣ回路２３及びレーザドライバ２４が前記第１の光ピックアップ１３に接続される。
この状態で、前記光ディスク１０のデータ面にデータを記録する（ステップＳ３３）。すなわち、前記図３におけるステップＳ３〜Ｓ６の処理を行う。なお、このときには前記振動信号発生器３３は動作されない。
そして、このデータ記録が終了した後（ステップＳ３４）、レーベル面に可視画像を描画しないときは（ステップＳ３５がＮＯ）、ディスクを排出して終了する（ステップＳ３９）。
【００２５】
一方、レーベル面に可視画像を描画するときは、前記選択スイッチ群６０をレーベル面側の第２の光ピックアップ２８を選択する側に切り替える（ステップＳ３６）。これにより、モータドライバ１５がステッピングモータ２９に接続され、フォーカスサーボ回路１６、トラッキングサーボ回路１７、ＲＦアンプ１８、ＡＬＰＣ回路２３及びレーザドライバ２４が前記第２の光ピックアップ２８に接続される。
そして、この状態で、セットされている光ディスク１０が可視画像記録可能ディスク１であるか否かを判定するために、前記レーベル面の情報エリア４に形成されているディスク情報を読み出す（ステップＳ３７）。すなわち、前記図３のステップＳ７〜Ｓ９及び図４のステップＳ２１〜Ｓ２６の処理を行う。このとき、前述と同様に、前記データ反転器３６を動作させる。
そして、可視画像記録可能ディスク１であることを示す識別コードが存在していた場合には（ステップＳ３８がＹＥＳ）、そのレーベル面の描画エリア３に可視画像を描画する（ステップＳ３９）。このとき、前記振動信号発生器３３を動作させる。そして、レーベル面への可視画像の描画が終了した後（ステップＳ４０）、ディスクを排出して処理を終了する（ステップＳ４１）。
また、セットされた光ディスク１０が可視画像記録可能ディスク１ではないときは、必要に応じてユーザに警告を表示した後、ディスクを排出して処理を終了する（ステップＳ４１）。
【００２６】
このように、この実施の形態によれば、モータドライバ１５、フォーカスサーボ回路１６、トラッキングサーボ回路１７、ＲＦアンプ１８、スライサ１９、デコーダ２０、バッファメモリ２１、エンコーダ２２、ＡＬＰＣ回路２３及びレーザドライバ２４を前記第１の光ピックアップ１３と第２の光ピックアップ２８とで共用するようにしたため、ハードウエア量を削減することができる。
【００２７】
次に、本発明の第３の実施の形態について説明する。上述した第１及び第２の実施の形態は、第２の光ピックアップ２８を用いてレーベル面の情報エリア４に形成された情報を読み取るときに、光ディスクの回転方向が通常の回転方向とは逆になるという問題を、データ反転器３６を使用して信号の時間軸を反転することによって解決するものであったが、この実施の形態は、第２の光ピックアップ２８によりレーベル面の情報エリア４に形成された情報を読み取るときに光ディスクを通常の回転方向とは逆方向に回転させることで上記問題を解決するものである。
図８は、本発明の光ディスク描画装置の第３の実施の形態の構成を示すブロック図である。この図において、前記図１と同一の構成要素には同一の番号を付して説明を省略する。
図１と図８とを比較すると明らかなように、この実施の形態では、前述したデータ反転器３６が設けられていない。そして、光ディスクのレーベル面の情報エリア４に形成されている情報を読み取るために、前記スピンドルモータ１１を逆向きに回転させ、このときにレーベル面の情報エリア４に形成されている情報を読み取るようにしている。
【００２８】
図９は、この第３の実施の形態における処理を示すフローチャートである。
光ディスク１０がセットされると（ステップＳ５１）、まず、スピンドルモータ１１をデータ面側から見て時計回りに回転させる（ステップＳ５２）。前述のように通常の回転方向は反時計回りであり、この回転方向は通常とは逆の回転方向である。ただし、レーベル面から見た場合は、反時計回りであり、通常の回転方向であるといえる。
そして、この状態で、レーベル面側の第２の光ピックアップ２８を使用して、前記レーベル面の情報エリアに形成されている情報を読み取る。すなわち、レーベル面側のフォーカスサーボ回路３１をオンとし（ステップＳ５３）、モータドライバ３０によりステッピングモータ２９を駆動して第２の光ピックアップ２８をレーベル面の情報エリアの半径位置に移動し（ステップＳ５４）、トラッキングサーボ回路３２をオンとして（ステップＳ５５）、光ディスク１０のレーベル面の情報エリア４に形成されている情報を読み出す（ステップＳ５６）。すなわち、第２の光ピックアップ２８から出力される信号をＲＦアンプ３４、スライサ３５を介してデコーダ３７に供給し、ＥＦＭデコードする。
【００２９】
そして、デコーダ３７によりデコードされた前記情報エリア４のサブコード部の情報の中に、その光ディスク１０が可視画像記録可能ディスク１であることを示すディスク識別コードが存在するか否かを判定し（ステップＳ５７）、存在していなかったときは必要に応じてユーザに警告を表示して処理を終了する。
可視画像記録可能ディスク１であったときは（ステップＳ５７がＹＥＳ）、前記スピンドルモータ１１を先程とは逆の方向、すなわち、データ面から見て反時計回りに回転させる（ステップＳ５８）。これは、データ面側から見て通常の回転方向であり、第１の光ピックアップ１３を用いてデータ面に対する情報の記録再生ができる状態である。
そして、この状態で、データ面側の第１の光ピックアップ１３を使用してデータを書き込む。すなわち、フォーカスサーボ回路１６をオンとし（ステップＳ５９）、モータドライバ１５によりステッピングモータ１４を駆動して第１の光ピックアップ１３を光ディスク１０のデータ面のディスク情報が存在する位置にシークし（ステップＳ６０）、ディスク情報を読み出す（ステップＳ６１）。
そして、前述と同様に、バッファメモリ２１からエンコーダ２２、ＡＬＰＣ回路２３、レーザドライバ２４、第１の光ピックアップ１３を用いてデータ面へのデータ記録を実行する（ステップＳ６２）。
また、このときに同時に、前述と同様に、バッファメモリ３８、エンコーダ３９、ＡＬＰＣ回路４０、レーザドライバ４１、第２の光ピックアップ２８及び振動信号発生器３３を使用して、光ディスク１０のレーベル面の描画エリア３に可視画像を描画する（ステップＳ６３）。
このように、この実施の形態においても、前記第１の実施の形態と同様に、データ面へのデータ記録とレーベル面への画像描画を並列に実行することができる。
そして、データ記録と画像描画がともに終了した後、ディスクを排出して処理を終了する（ステップＳ６４）。
【００３０】
このように、この実施の形態によれば、一時的にスピンドルを逆回転させて、第２の光ピックアップ２８を用いてレーベル面の情報エリア４に形成されている情報を読み出し、セットされた光ディスク１０が可視画像記録可能な光ディスク１であるか否かを判定することができる。
なお、この実施の形態においても、前記図６に示した実施の形態と同様に、モータドライバ、フォーカスサーボ回路、トラッキングサーボ回路、ＲＦアンプ、スライサ、デコーダ、バッファメモリ、エンコーダ、ＡＬＰＣ回路、レーザドライバを第１の光ピックアップ１３と第２の光ピックアップ２８に共通に設け、それらの接続を切り替える前記選択スイッチ群と同様の選択スイッチ群を設けて、データ記録と可視画像の描画を順次実行するようにしてもよい。
【図面の簡単な説明】
【００３１】
【図１】本発明の光ディスク描画装置の第１の実施の形態の構成を示すブロック図である。
【図２】データ反転器の構成例を示すブロック図である。
【図３】本発明の光ディスク描画装置の第１の実施の形態の動作を示すフローチャートである。
【図４】ディスク情報読み出し処理の動作を示すフローチャートである。
【図５】双方向シフトレジスタへのデータの取り込み及び取り出しのタイミングチャートの例を示す図である。
【図６】本発明の光ディスク描画装置の第２の実施の形態の構成を示すブロック図である。
【図７】本発明の光ディスク描画装置の第２の実施の形態の動作を示すフローチャートである。
【図８】本発明の光ディスク描画装置の第３の実施の形態の構成を示すブロック図である。
【図９】本発明の光ディスク描画装置の第３の実施の形態の動作を示すフローチャートである。
【図１０】可視画像記録可能な光ディスクの構成を示す図である。
【図１１】可視画像記録可能な光ディスクの構造を示す断面図である。
【符号の説明】
【００３２】
１：可視画像記録可能な光ディスク、１０：光ディスク、１１：スピンドルモータ、１２：スピンドルサーボ回路、１３：第１の光ピックアップ、１４：ステッピングモータ、１５：モータドライバ、１６：フォーカスサーボ回路、１７：トラッキングサーボ回路、１８：ＲＦアンプ、１９：スライサ、２０：デコーダ、２１：バッファメモリ、２２：エンコーダ、２３：ＡＬＰＣ回路、２４：レーザドライバ、２５：システム制御部、２６：インターフェース回路、２７：ホスト機器、２８：第２の光ピックアップ、２９：ステッピングモータ、３０：モータドライバ、３１：フォーカスサーボ回路、３２：トラッキングサーボ回路、３３：振動信号発生器、３４：ＲＦアンプ、３５：スライサ、３６：データ反転器、３７：デコーダ、３８：バッファメモリ、３９：エンコーダ、４０：ＡＬＰＣ回路、４１：レーザドライバ、５１，５２，５３：トライステートバッファ、５４：クロック発生器、５５：セレクタ、５６：双方向シフトレジスタ、６０：選択スイッチ群、６１〜６８：選択スイッチ
【図１】
2008033982.tif 000003
【図２】
2008033982.tif 000004
【図３】
2008033982.tif 000005
【図４】
2008033982.tif 000006
【図５】
2008033982.tif 000007
【図６】
2008033982.tif 000008
【図７】
2008033982.tif 000009
【図８】
2008033982.tif 000010
【図９】
2008033982.tif 000011
【図１０】
2008033982.tif 000012
【図１１】
2008033982.tif 000013